(57)【特許請求の範囲】
【請求項１】
無線ローカルエリアネットワーク（ＷＬＡＮ）−アクセスポイント（ＡＰ）からデータを受信するエレメントマネージャと、
前記ＷＬＡＮ−ＡＰにより生成された第１フォーマットからＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャにより利用される第２フォーマットに前記データを変換するマッピング回路と、
を有する装置であって、
前記エレメントマネージャは、前記ネットワークマネージャから前記データに対するリクエストを受信する前に前記リクエストを前記ＷＬＡＮ−ＡＰに送信し、前記第２フォーマットにより前記受信したデータを前記ネットワークマネージャに送信する装置。
【請求項２】
前記ネットワークマネージャは、前記ＬＴＥ−Ａネットワークの１以上のｅｖｏｌｖｅｄ  Ｎｏｄｅ  Ｂ（ｅＮＢ）と他のエレメントマネージャを介し通信し、前記１以上のｅＮＢによる通信を管理する、請求項１記載の装置。
【請求項３】
前記エレメントマネージャは前記ＷＬＡＮ−ＡＰにリクエストを送信し、前記データは前記リクエストに応答して受信される、請求項１記載の装置。
【請求項４】
前記ＷＬＡＮ−ＡＰは第１のＷＬＡＮ−ＡＰであり、
前記エレメントマネージャは更に、
前記第１のＷＬＡＮ−ＡＰを含む複数のＷＬＡＮ−ＡＰにリクエストを送信し、
前記リクエストに応答して前記複数のＷＬＡＮ−ＡＰからデータを受信し、
前記ネットワークマネージャからリクエストを受信し、
前記ネットワークマネージャからのリクエストに応答して、前記データを前記複数のＷＬＡＮ−ＡＰから前記ネットワークマネージャに送信する、請求項３記載の装置。
【請求項５】
前記データはカウンタの値を有し、
前記エレメントマネージャは、前記データに対するリクエストを前記ＷＬＡＮ−ＡＰに定期的に送信し、
連続するリクエストの間の期間は、前記カウンタのサイズに基づき決定される、請求項１記載の装置。
【請求項６】
前記データは、ＷＬＡＮインタフェースを介し前記ＷＬＡＮ−ＡＰにより送信されたデータ量又は受信されたデータ量を示すカウンタの値を有する、請求項１乃至５何れか一項記載の装置。
【請求項７】
前記データは、前記ＷＬＡＮ−ＡＰに関連するユーザ装置（ＵＥ）の数を示すカウンタの値を有する、請求項１乃至５何れか一項記載の装置。
【請求項８】
前記データは、前記ＷＬＡＮ−ＡＰにより管理されるアラームの状態を有し、
前記エレメントマネージャは、前記アラームの状態を照会するためＩＲＰマネージャから第１リクエストを受信し、
前記マッピング回路は、前記第１リクエストを前記ＷＬＡＮ−ＡＰにより利用される第２リクエストに変換し、
前記エレメントマネージャは、前記アラームの状態を抽出するため、前記第２リクエストを前記ＷＬＡＮ−ＡＰに送信する、請求項１乃至５何れか一項記載の装置。
【請求項９】
前記第２リクエストは、Ｓｉｍｐｌｅ  Ｎｅｔｗｏｒｋ  Ｍａｎａｇｅｍｅｎｔ  Ｐｒｏｔｏｃｏｌ（ＳＮＭＰ）  ＧＥＴメッセージである、請求項８記載の装置。
【請求項１０】
エレメントマネージャにより実行される方法であって、
カウンタの値に対するリクエストを無線ローカルエリアネットワーク（ＷＬＡＮ）−アクセスポイント（ＡＰ）に送信するステップと、
前記リクエストに応答して、前記ＷＬＡＮ  ＡＰから前記カウンタの値を有する第１メッセージを受信するステップと、
ＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャに前記カウンタの値を有する第２メッセージを送信するステップと、
前記カウンタのサイズ及び前記カウンタの受信した値に基づき、前記ＷＬＡＮ−ＡＰに連続するリクエストを送信する間の期間を決定するステップと、
を有し、
前記送信するステップは、前記ネットワークマネージャから前記リクエストを受信する前に前記リクエストを前記ＷＬＡＮ−ＡＰに送信し、前記第１メッセージにおいて受信した前記カウンタの値を前記第２メッセージにおいて前記ネットワークマネージャに送信することを含む方法。
【請求項１１】
前記第１メッセージは第１フォーマットを有し、
前記第２メッセージは前記第１フォーマットと異なる第２フォーマットを有し、
当該方法は更に、前記第１メッセージを前記第２メッセージに変換するステップを有する、請求項１０記載の方法。
【請求項１２】
前記ＷＬＡＮ−ＡＰは第１のＷＬＡＮ−ＡＰであり、
当該方法は更に、
前記第１のＷＬＡＮ−ＡＰを有する複数のＷＬＡＮ−ＡＰにリクエストを送信するステップと、
前記リクエストに応答して、前記複数のＷＬＡＮ−ＡＰから各自のカウンタの値を受信するステップと、
前記各自のカウンタの値を前記ネットワークマネージャに送信するステップと、
を有する、請求項１０記載の方法。
【請求項１３】
前記カウンタの値に対するリクエストを前記ネットワークマネージャから受信するステップを更に有する、請求項１０記載の方法。
【請求項１４】
前記カウンタの値は、ＷＬＡＮインタフェースを介し前記ＷＬＡＮ−ＡＰにより送信されたデータ量又は受信されたデータ量を示す、請求項１０乃至１３何れか一項記載の方法。
【請求項１５】
前記カウンタの値は、前記ＷＬＡＮ−ＡＰに関連するユーザ装置（ＵＥ）の数を示す、請求項１０乃至１３何れか一項記載の方法。
【請求項１６】
前記第１メッセージは、アクセスコントローラを介し前記ＷＬＡＮ−ＡＰから受信される、請求項１０記載の方法。
【請求項１７】
ＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャからの第１のデータリクエストを処理するステップと、
前記第１のデータリクエストと異なるフォーマットを有する第２のデータリクエストを無線ローカルエリアネットワーク（ＷＬＡＮ）−アクセスポイント（ＡＰ）に送信するステップと、
前記第２のデータリクエストに応答して受信された前記ＷＬＡＮ−ＡＰからのデータを処理するステップと、
前記データを前記ネットワークマネージャに送信するステップと、
を計算システムに実行させるためのプログラムであって、
前記第２のデータリクエストを送信するステップは、前記ネットワークマネージャから前記第２のデータリクエストを受信する前に前記第２のデータリクエストを前記ＷＬＡＮ−ＡＰに送信することを含み、前記データを送信するステップは、前記受信したデータを前記ネットワークマネージャに送信することを含むプログラム。
【請求項１８】
前記第２のデータリクエストは、前記第１のデータリクエストの受信に応答して送信される、請求項１７記載のプログラム。
【請求項１９】
前記データは、前記ＷＬＡＮ−ＡＰにより管理されたアラームの状態を有する、請求項１７記載のプログラム。
【請求項２０】
前記データは、ＷＬＡＮインタフェースを介し前記ＷＬＡＮ−ＡＰにより送信されたデータ量又は受信されたデータ量を示すカウンタの値を有する、請求項１７記載のプログラム。
【請求項２１】
前記データは、前記ＷＬＡＮ−ＡＰに関連するユーザ装置（ＵＥ）の数を示すカウンタの値を有する、請求項１７記載のプログラム。
【請求項２２】
前記データは、アクセスコントローラを介し前記ＷＬＡＮ−ＡＰから受信される、請求項１７乃至２１何れか一項記載のプログラム。
【請求項２３】
請求項１７乃至２２何れか一項記載のプログラムを記憶するためのコンピュータ読み取り可能な記憶媒体。
【発明の詳細な説明】
【技術分野】
【０００１】
本出願は、その全開示が参照することにより全体としてここに援用される、“ＡＤＶＡＮＣＥＤ  ＷＩＲＥＬＥＳＳ  ＣＯＭＭＵＮＩＣＡＴＩＯＮ  ＳＹＳＴＥＭＳ  ＡＮＤ  ＴＥＣＨＮＩＱＵＥＳ”という名称によって２０１３年５月１６日に出願された米国仮特許出願第６１／８２４，３３８号に対する優先権を主張する。
【０００２】
本発明の実施例は、一般に無線ネットワークに関し、より詳細には無線ローカルエリアネットワーク（ＷＬＡＮ）アクセスポイントからのデータの抽出に関する。
【背景技術】
【０００３】
ユーザ装置（ＵＥ）は、Ｌｏｎｇ  Ｔｅｒｍ  Ｅｖｏｌｕｔｉｏｎ  Ａｄｖａｎｃｅｄ（ＬＴＥ−Ａ）ネットワーク及び無線ローカルエリアネットワーク（ＷＬＡＮ）などの無線セルラネットワークを含む複数の通信ネットワークを介し通信可能である。ＵＥは、ＬＴＥ−Ａネットワーク上でネットワークサービスにアクセスするため、ＬＴＥ−Ａネットワークのｅｖｏｌｖｅｄ  Ｎｏｄｅ  Ｂ（ｅＮＢ）と通信し、ＷＬＡＮ上でネットワークサービスにアクセスするため、ＷＬＡＮアクセスポイント（ＡＰ）と通信可能である。ＬＴＥ−Ａネットワークは、ＬＴＥ−Ａネットワーク上のロードを低下させるため、ＷＬＡＮ  ＡＰの範囲内にいるとき、ＵＥがＷＬＡＮに接続することを選好するかもしれない。しかしながら、ＬＴＥ−Ａネットワークは、ＵＥに対してＷＬＡＮ  ＡＰにより提供されるＱｏＳ（Ｑｕａｌｉｔｙ  ｏｆ  Ｓｅｒｖｉｃｅ）をモニタリングするため、ＷＬＡＮ  ＡＰにより維持されるアラームの状態又はパフォーマンスモニタリングデータを抽出することができない。
【図面の簡単な説明】
【０００４】
実施例は、添付した図面に関して以下の詳細な説明により容易に理解される。本説明を容易にするため、同様の参照番号は同様の構成要素を示す。実施例は、添付した図面における限定でなく具体例として示される。
【図１】図１は、各種実施例によるネットワークマネージャ、エレメントマネージャ、アクセスコントローラ、１以上の無線ローカルエリアネットワーク（ＷＬＡＮ）アクセスポイント（ＡＰ）、ｅｖｏｌｖｅｄ  Ｎｏｄｅ  Ｂ（ｅＮＢ）及びユーザ装置（ＵＥ）を有するネットワーク環境のハイレベルな具体例を概略的に示す。
【図２】図２は、各種実施例による１以上のＷＬＡＮ  ＡＰからのデータをポーリング及び報告する方法を概略的に示す。
【図３】図３は、各種実施例によるアラームの状態を抽出する方法を示す。
【図４】図４は、ここに説明された各種実施例を実現するのに利用可能な一例となるシステムを概略的に示す。
【発明を実施するための形態】
【０００５】
本開示の例示的な実施例は、限定することなく、無線通信システムにおける無線ローカルエリアネットワーク（ＷＬＡＮ）アクセスポイント（ＡＰ）からデータを抽出する方法、システム、コンピュータ可読媒体及び装置を含む。
【０００６】
例示的な実施例の各種態様は、当業者が他の当業者に自らの成果の本質を伝えるのに通常利用される用語を用いて説明される。しかしながら、他の実施例が説明された態様の一部のみにより実現されてもよいことは、当業者に明らかであろう。説明の目的のため、具体的な数字、物質及び構成が例示的な実施例の完全な理解を提供するため与えられる。しかしながら、他の実施例は具体的な詳細なく実施可能であることが当業者に明らかであろう。他の例では、周知の特徴は、例示的な実施例を不明瞭にしないように省略又は簡単化される。
【０００７】
さらに、各種処理は、例示的な実施例を理解するのに最も役立つ方式により複数の個別の処理として説明されるが、説明の順序は、これらの処理が必ずしも順序に依存していることを意味するものとして解釈されるべきでない。特に、これらの処理は提示された順序により実行される必要はない。
【０００８】
“いくつかの実施例では”というフレーズは繰り返し用いられる。当該フレーズは、一般に同一の実施例を参照していないが、参照してもよい。“有する”及び“含む”という用語は、文脈が別に示していない場合、同義的である。
【０００９】
“Ａ及び／又はＢ”というフレーズは、（Ａ）、（Ｂ）又は（Ａ及びＢ）を意味する。“Ａ／Ｂ”及び“Ａ又はＢ”というフレーズは、“Ａ及び／又はＢ”のフレーズと同様に、（Ａ）、（Ｂ）又は（Ａ及びＢ）を意味する。
【００１０】
ここで用いられる“回路”という用語は、説明される機能を提供するよう構成される特定用途向け集積回路（ＡＳＩＣ）、電子回路、論理回路、プロセッサ（共有、専用又はグループ）及び／又はメモリなどのハードウェアコンポーネントの一部を参照するか、又は含む。いくつかの実施例では、回路は、説明される機能の少なくとも一部を提供するため１以上のソフトウェア又はファームウェアプログラムを実行してもよい。
【００１１】
図１は、各種実施例によるネットワーク環境１００を概略的に示す。ネットワーク環境１００は、エレメントマネージャ１０８及びエレメントマネージャ１１０と通信接続されるネットワークマネージャ１０４を有する。エレメントマネージャ１１０は、ｅＮＢ１１２を含む１以上のｅｖｏｌｖｅｄ  Ｎｏｄｅ  Ｂ（ｅＮＢ）を管理する。ネットワークマネージャ１０４は、エレメントマネージャ１０８及びエレメントマネージャ１１０を含む複数のエレメントマネージャを管理する。ネットワークマネージャ１０４、エレメントマネージャ１０８、エレメントマネージャ１１０及びｅＮＢ１１２は、３ＧＰＰ  ＬＴＥ  Ａｄｖａｎｃｅｄ（ＬＴＥ−Ａ）ネットワークなどの無線アクセスネットワーク（ＲＡＮ）の一部であってもよい。ＲＡＮは、ＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）として参照されてもよい。他の実施例では、他の無線アクセスネットワーク技術が利用されてもよい。
【００１２】
ｅＮＢ１１２は、ＬＴＥ−Ａネットワークを介しＵＥにネットワークサービスを提供するため、ＵＥ１１６を含む１以上のユーザ装置（ＵＥ）と無線接続される。
【００１３】
各種実施例では、ネットワーク環境１００は更に、１以上のＷＬＡＮ  ＡＰ１２０を有してもよい。ＷＬＡＮ  ＡＰ１２０の１以上は、ＷＬＡＮ（Ｗｉ−Ｆｉインタフェースなどを利用して）を介しＵＥ１１６にネットワークサービスを提供するため、ＵＥ１１６と通信接続されてもよい。
【００１４】
各種実施例では、ＷＬＡＮ  ＡＰ１２０は、エレメントマネージャ１０８と通信接続される。いくつかの実施例では、ネットワーク環境１００は更に、１以上のＷＬＡＮ  ＡＰ１２０を管理するためのアクセスコントローラ１２４を有する。これらの実施例では、エレメントマネージャ１０８は、アクセスコントローラ１２４を介し１以上のＷＬＡＮ  ＡＰ１２０と通信する。他の実施例は、アクセスコントローラ１２４を有さなくてもよい。これらの実施例では、エレメントマネージャ１０８は、ＷＬＡＮ  ＡＰ１２０と直接通信してもよい。
【００１５】
各種実施例では、ネットワークマネージャ１０４は、ＬＴＥ−Ａネットワークのエレメントマネージャを含む複数のエレメントマネージャを管理するためのインテグレーション・リファレンス・ポイント（ＩＲＰ）マネージャ１２８を有してもよい。ＩＲＰマネージャ１２８は、有線及び／又は無線インタフェースを介し（例えば、Ｔｙｐｅ−２インタフェースなどを介し）エレメントマネージャ１０８と通信する。いくつかの実施例では、ＩＲＰマネージャ１２８は、プログラム及び／又は予め設定された回路のチップ、チップセット又は他のコレクションに含まれる及び／又は実現されてもよい。
【００１６】
各種実施例では、エレメントマネージャ１０８は、互いに接続されるＩＲＰエージェント１３２及びマッピング回路１３６を有してもよい。ＩＲＰエージェント１３２は、（Ｔｙｐｅ−２インタフェースなどを介し）ネットワークマネージャ１０４のＩＲＰマネージャ１２８と通信する。いくつかの実施例では、ＩＲＰエージェント１３２及び／又はマッピング回路１３６は、プログラム及び／又は予め設定された回路のチップ、チップセット又は他のコレクションに含まれる及び／又は実現されてもよい。
【００１７】
各種実施例では、マッピング回路１３６は、ＷＬＡＮのＷＬＡＮ  ＡＰ１２０により生成及び／又は利用される第１フォーマットと、ＬＴＥ−Ａネットワークを管理するネットワークマネージャ１０４のＩＲＰマネージャ１２８により利用される第２フォーマットとの間でデータを変換するためのマッピング機能（ＷＬＡＮマッピング機能とも呼ばれる）を実現する。例えば、ＩＲＰエージェント１３２は、ＷＬＡＮ  ＡＰ１２０からデータを受信し、マッピング回路１３６は、当該データを第１フォーマットから第２フォーマットに変換してもよい。それから、ＩＲＰエージェント１３２は、第２フォーマットによりデータをネットワークマネージャ１０４（ネットワークマネージャ１０４のＩＲＰマネージャ１２８など）に送信してもよい。
【００１８】
マッピング回路１３６は、ネットワークマネージャ１０４及び／又はエレメントマネージャ１０８がＷＬＡＮ  ＡＰ１２０からデータを抽出することを可能にする。データは、例えば、パフォーマンスモニタリング（ＰＭ）データ（ＷＬＡＮ  ＡＰ１２０により維持される１以上のカウンタの値など）及び／又はＷＬＡＮ  ＡＰ１２０により維持される１以上のアラームの状態などであってもよい。ネットワークマネージャ１０４及び／又はエレメントマネージャ１０８は、ＷＬＡＮ  ＡＰ１２０からのデータを利用して、ＬＴＥ−Ａネットワークを管理する。例えば、ネットワークマネージャ１０４及び／又はエレメントマネージャ１０８は、ＷＬＡＮ  ＡＰ１２０が多数の接続されているＵＥを有する、大量のネットワークトラフィックボリュームを処理している、及び／又は適切に機能していないことをＷＬＡＮ  ＡＰ１２０からのデータが示す場合、ＵＥ１１６とのネットワーク接続を維持することを選択する（例えば、ＷＬＡＮにＵＥ１１６をオフロードしないなど）。
【００１９】
各種実施例では、ＷＬＡＮ  ＡＰ１２０は、ＷＬＡＮ  ＡＰ１２０のパフォーマンスをモニタリングするのに利用される１以上のカウンタ（ＰＭカウンタとも呼ばれる）を維持してもよい。１以上のカウンタは、例えば、ＷＬＡＮインタフェース上のデータボリュームを測定するための１以上のデータボリュームカウンタなどを含むものであってもよい。例えば、１以上のデータボリュームカウンタは、ＷＬＡＮインタフェースを介し個別のＷＬＡＮ  ＡＰ１２０により受信されたデータ（アップリンクデータなど）のデータ量を示す入力データボリュームカウンタを含むものであってもよい。入力データボリュームカウンタは、例えば、フレーミングキャラクタを含むＷＬＡＮインタフェース上で受信されたオクテットの合計数を追跡するｉｆＩｎＯｃｔｅｔｓカウンタなどを含むものであってもよい。
【００２０】
さらに又は代わりに、１以上のデータボリュームカウンタは、ＷＬＡＮインタフェースを介し個々のＷＬＡＮ  ＡＰ１２０により送信されたデータ量（例えば、ダウンリンクデータ）を示す出力データボリュームカウンタを含む。出力データボリュームカウンタは、例えば、ＷＬＡＮインタフェース上で送信されたオクテットの合計数を追跡するｉｆＯｕｔＯｃｔｅｔｓカウンタなどを含むものであってもよい。
【００２１】
いくつかの実施例では、ＷＬＡＮ  ＡＰ１２０により管理されている１以上のカウンタは、個々のＷＬＡＮ  ＡＰ１２０に関連付けされる（例えば、ＷＬＡＮインタフェースを介しＷＬＡＮ  ＡＰ１２０に接続されるなど）ＵＥ１１６の個数を示すための関連ＵＥカウンタを更に又は代わりに有してもよい。関連ＵＥカウンタは、例えば、ＵＥ（通常のＷＬＡＮの用語における無線局とも呼ばれる）がＷＬＡＮ  ＡＰ１２０と関連付け又は再関連付けするときにインクリメントし、ＵＥが関連付け解除するときデクリメントするｄｏｔ１１ＡｓｓｏｃｉａｔｅｄＳｔａｔｉｏｎＣｏｕｎｔカウンタなどを含むものであってもよい。
【００２２】
いくつかの実施例では、１以上のカウンタは、ＭＡＣレイヤ上のデータボリュームを測定するための１以上のＭＡＣ（Ｍｅｄｉａ  Ａｃｃｅｓｓ  Ｃｏｎｔｒｏｌ）データボリュームカウンタを更に又は代わりに有してもよい。例えば、１以上のＭＡＣデータボリュームカウンタは、Ａ−ＭＰＤＵフレームがＷＬＡＮ  ＡＰ１２０により送信されるときにＡｇｇｒｅｇａｔｅｄ  ＭＡＣ  Ｐｒｏｔｏｃｏｌ  Ｄａｔａ  Ｕｎｉｔ（Ａ−ＭＰＤＵ）フレームにおけるオクテット数だけインクリメントされるｄｏｔ１１ＴｒａｎｓｍｉｔｔｅｄＯｃｔｅｔｓＩｎＡＭＰＤＵＣｏｕｎｔカウンタ、及び／又はＡ−ＭＰＤＵフレームがＷＬＡＮ  ＡＰ１２０により受信されるときにＡ−ＭＰＤＵフレームにおけるオクテット数だけインクリメントされるｄｏｔ１１ＲｅｃｅｉｖｅｄＯｃｔｅｔｓＩｎＡＭＰＤＵＣｏｕｎｔカウンタを有してもよい。ＭＡＣデータボリュームカウンタは、Ａ−ＭＰＤＵが送信及び／又は受信されるとき、ＷＬＡＮ  ＡＰ１２０のＭＡＣレイヤにより書き込まれる状態変数であってもよい。
【００２３】
各種実施例では、エレメントマネージャ１０８のＩＲＰエージェント１３２は、１以上のカウンタの現在値を含むカウンタデータをリクエストするため、１以上のＷＬＡＮ  ＡＰ１２０にリクエストを送信する。エレメントマネージャ１０８は、第１フォーマットにより１以上のＷＬＡＮ  ＡＰ１２０からカウンタデータを受信する。エレメントマネージャ１０８のマッピング回路１３６は、カウンタデータを第２フォーマットに変換し、ＩＲＰエージェント１３２は、カウンタデータをネットワークマネージャ１０４のＩＲＰマネージャ１２８に送信する。
【００２４】
いくつかの実施例では、ＩＲＰエージェント１３２は、ネットワークマネージャ１０４から受信したリクエストに応答して、１以上のＷＬＡＮ  ＡＰ１２０にリクエストを送信する。他の実施例では、ＩＲＰエージェント１３２は、ネットワークマネージャ１０４からリクエストを受信することを見越して１以上のＷＬＡＮ  ＡＰ１２０にリクエストを先を見越して送信してもよい。更なる他の実施例では、ネットワークマネージャ１０４は、カウンタデータに対する明示的なリクエストをエレメントマネージャ１０８に送信しなくてもよく、エレメントマネージャ１０８は、ＷＬＡＮ  ＡＰからカウンタデータを定期的にリクエストし、カウンタデータをネットワークマネージャ１０４に報告してもよい。
【００２５】
いくつかの実施例では、ＩＲＰエージェント１３２は、経時的に１以上のカウンタの値の変化をモニタリングするため、個々のＷＬＡＮ  ＡＰ１２０からのカウンタデータを定期的にリクエストする。例えば、ＩＲＰエージェント１３２は、経過時間毎に入力データボリュームを決定するため、ｉｆＩｎＯｃｔｅｔｓカウンタの値を定期的にリクエストしてもよい。各種実施例では、カウンタの１以上は０から最大値までインクリメント可能である。カウンタが最大値に達すると、カウンタの以降のインクリメントは、カウンタを“ラップ（ｗｒａｐ）又は終了”させ、０からスタートさせてもよい。従って、カウンタの値は、経時的にカウンタ値の変化の正確な測定結果を取得するため、ラップサイクル毎に少なくとも１回はポーリングされる必要がある。
【００２６】
各種実施例では、ＩＲＰエージェント１３２は、カウンタのサイズ（ビット数及び／又は可能な値など）及び／又はカウンタがインクリメントする速度に基づき、カウンタの値に対する連続するリクエストの間の期間を決定する。カウンタの速度は、経時的なカウンタの値の変化に基づき決定される。ＩＲＰエージェント１３２は、カウンタの値がラップサイクル毎に少なくとも１回ポーリングされるように（カウンタの連続するラップの間の期間など）、連続するリクエストの間の期間を決定する。
【００２７】
例えば、ｉｆＩｎＯｃｔｅｔｓカウンタは、いくつかの実施例では３２ビットカウンタであってもよい。連続する（ｂａｃｋ−ｔｏ−ｂａｃｋ）１０メガビット／秒（Ｍｂｓ）データストリームについて、フルサイズパケットは、ｉｆＩｎＯｃｔｅｔｓカウンタを５７分をやや超えてラップさせてもよい。しかしながら、連続するフルサイズパケットの１００Ｍｂｓのデータストリームについて、ｉｆＩｎＯｃｔｅｔｓカウンタは約５．７分でラップする。さらに、連続するフルサイズパケットの１ギガビット／秒（Ｇｂｓ）データストリームについて、ｉｆＩｎＯｃｔｅｔｓカウンタは約３４秒でラップする。従って、ラップサイクル毎に少なくとも１回カウンタ値をポーリングするのに必要とされるカウンタ値に対する連続するリクエストの間の最大時間は、ＷＬＡＮ  ＡＰ１２０により処理されるデータ量に依存してかなり変化しうる。
【００２８】
従って、ＩＲＰエージェント１３２は、カウンタの値がカウンタのラップサイクル後に少なくとも１回ポーリングされることを保証するため、カウンタのサイズ及び／又はカウンタがインクリメントする速度に基づき、カウンタの値に対する連続するリクエストの間の期間を決定する。これは、エレメントマネージャ１０８及び／又はネットワークマネージャ１０４がカウンタにより追跡されたパラメータについて経過時間毎の変化を正確に計算することを可能にする。
【００２９】
いくつかの実施例では、エレメントマネージャ１０８による連続するカウンタポーリングリクエストの間の期間の調整は、いくつかのカウンタについて必要とされない。例えば、連続するカウンタポーリングリクエストの間の期間の調整は、ＵＥがＷＬＡＮ  ＡＰ１２０と関連付けする又は再関連付けするときにインクリメントし、ＵＥがＷＬＡＮ  ＡＰ１２０から関連付け解除するときにデクリメントする関連するＵＥカウンタについて必要とされなくてもよい。
【００３０】
上述されたように、エレメントマネージャ１０８のマッピング回路１３６はまた、ネットワークマネージャ１０４がＷＬＡＮ  ＡＰ１２０の１つにより管理されるアラームの状態を抽出することを可能にする。アラームは、例えば、ネットワーク接続がＷＬＡＮ  ＡＰ１２０を介し利用可能であるか示すため、ＷＬＡＮ  ＡＰの動作状態を示すものであってもよい（例えば、ＷＬＡＮ  ＡＰ１２０がデータパケットを通過させることできるか否かなど）。例えば、いくつかの実施例では、アラームは、ＷＬＡＮ  ＡＰ１２０の動作状態を示すため、ＷＬＡＮ  ＡＰ１２０により管理されるｉｆＯｐｅｒＳｔａｔｕｓアラームを含むものであってもよい。さらに又は代わりに、ＷＬＡＮ  ＡＰ１２０より維持されるいくつかのＩＥＥＥ８０２．１１カウンタ（例えば、ｄｏｔ１１ＦａｉｌｅｄＣｏｕｎｔ、ｄｏｔ１１ＲＴＳＦａｉｌｕｒｅＣｏｕｎｔ、ｄｏｔ１１ＡＣＫＦａｉｌｕｒｅＣｏｕｎｔ、ｄｏｔ１１ＦＣＳＥｒｒｏｒＣｏｕｎｔ、ｄｏｔ１１ＤｅｎｉｅｄＡｓｓｏｃｉａｔｉｏｎＣｏｕｎｔｅｒＤｕｅＴｏＢＳＳＬｏａｄ）は、アラームを生成される特定の閾値を超過する可能性がある。
【００３１】
いくつかの実施例では、エレメントマネージャ１０８のＩＲＰエージェント１３２は、ＷＬＡＮ  ＡＰ１２０により管理されるアラームの状態に対するリクエストをネットワークマネージャ１０４のＩＲＰマネージャ１２８から受信してもよい。マッピング回路１３６は、ＷＬＡＮ  ＡＰ１２０により理解されるフォーマットにリクエストをマッピングし、ＩＲＰエージェント１３２は、フォーマット変換されたリクエスト、例えば、Ｓｉｍｐｌｅ  Ｎｅｔｗｏｒｋ  Ｍａｎａｇｅｍｅｎｔ  Ｐｒｏｔｏｃｏｌ（ＳＮＭＰ）  ＧＥＴメッセージをＷＬＡＮ  ＡＰ１２０に送信し、アラームの状態をリクエストしてもよい。ＷＬＡＮ  ＡＰ１２０は、当該リクエストを処理し、アラームの状態を抽出し、アラームの状態と共にメッセージをＩＲＰエージェント１３２に送信する。マッピング回路１３６は、アラームの状態を有するメッセージをＩＲＰエージェント１３２により理解されるフォーマットに変換し、アラームの状態と共にメッセージをＩＲＰマネージャ１２８に送信する。
【００３２】
各種実施例では、ネットワークマネージャ１０４は、ＷＬＡＮ  ＡＰ１２０から受信したデータ（例えば、１以上のカウンタの値及び／又は１以上のアラームの状態）を利用して、ＬＴＥ−Ａネットワークを介した通信を管理する。例えば、ネットワークマネージャ１０４は、ＷＬＡＮ  ＡＰ１２０が経過時間毎のデータ量（例えば、経時的なｉｆＩｎＯｃｔｅｔｓカウンタの値の変化に基づき）及び／又はＷＬＡＮ  ＡＰ１２０に接続されるＵＥの個数（例えば、関連ＵＥカウンタの値に基づき）に基づきオーバロードされているか判断してもよい。あるいは、ネットワークマネージャ１０４は、ＵＥがＷＬＡＮ  ＡＰ１２０に接続されていないことを関連ＵＥカウンタが示す場合、ＷＬＡＮ  ＡＰ１２０に問題が存在すると判断してもよい。さらに、ネットワークマネージャ１０４は、ＷＬＡＮ  ＡＰ１２０により管理される１以上のアラームの状態に基づきＷＬＡＮ  ＡＰ１２０による問題が存在すると判断してもよい。
【００３３】
いくつかの実施例では、ｅＮＢ１１２は、ＷＬＡＮ  ＡＰ１２０がオーバロードしているという判定及び／又はＷＬＡＮ  ＡＰ１２０による問題があるという判定に基づき、ＬＴＥ−Ａネットワークを介しＵＥ１１６との接続を維持してもよい。あるいは、ネットワークマネージャ１０４は、ＷＬＡＮ  ＡＰ１２０が効果的に動作しているという判定に基づき（例えば、オーバロードしておらず、インターネットとの接続を有する）、１以上のＵＥ１１６が特定のＷＬＡＮ  ＡＰ１２０にオフロードされうることをエレメントマネージャ１１０を介しｅＮＢ１１２に通知するよう判断してもよい（例えば、ｅＮＢ１１２を介しＬＴＥ−Ａネットワークとの接続に加えて又は代わりに、ＷＬＡＮ  ＡＰ１２０を介しＷＬＡＮに接続されるようＵＥ１１６をスイッチする）。いくつかの実施例では、ｅＮＢ１１０は、何れの時点にＷＬＡＮ  ＡＰ１２０にオフロードすべきＵＥ１１６を決定してもよい。
【００３４】
いくつかの実施例では、ネットワークマネージャ１０４は、ＷＬＡＮ  ＡＰ１２０から受信したデータに応答して、ＷＬＡＮのオペレータに通知を送信する。例えば、ネットワークマネージャ１０４は、ＷＬＡＮ  ＡＰ１２０が適切に機能していない（例えば、インターネット接続が利用可能でない）とネットワークマネージャ１０４が判断した場合、ＷＬＡＮのオペレータに通知してもよい。
【００３５】
図２は、各種実施例による１以上のＷＬＡＮ  ＡＰ２０４ａ〜ｃ（ＷＬＡＮ  ＡＰ１２０と同様であってもよい）からのデータをポーリング及び報告する方法２００のフロー図を示す。方法２００は、１以上のＷＬＡＮ  ＡＰ２０４ａ〜ｃ及びネットワークマネージャ２１２（ネットワークマネージャ１０４と同様であってもよい）と連係して、エレメントマネージャ２０８（エレメントマネージャ１０８と同様であってもよい）により実行されてもよい。いくつかの実施例では、エレメントマネージャ２０８は、実行時にエレメントマネージャ２０８に方法２００を実行させる命令を格納した１以上の有形なコンピュータ可読媒体を有してもよい。
【００３６】
方法２００の２１６において、エレメントマネージャ２０８は、経過時間タイマが経過するのを待機する。経過時間タイマの満了の間の時間は、他の何れかにおいて更に説明されるように、個々のＷＬＡＮ  ＡＰ２０４ａ〜ｃのカウンタのポーリング間の時間間隔を調整するよう設定可能である（例えば、エレメントマネージャ２０８及び／又はネットワークマネージャ２１２により）。経過時間タイマが満了すると、エレメントマネージャ２０８は、方法２００の２２０ａ〜ｃにおいて、１以上のパフォーマンスモニタリング（ＰＭ）カウンタをポーリングするためのリクエストを各ＷＬＡＮ  ＡＰ２０４ａ〜ｃに送信する。
【００３７】
２２４ａ〜ｃにおいて、ＷＬＡＮ  ＡＰ２０４ａ〜ｃは、１以上のＰＭカウンタの現在値を含むＰＭデータによって各自のレスポンスを送信する。１以上のＰＭカウンタは、例えば、ここで説明されたｉｆＩｎＯｃｔｅｔｓカウンタ、ｉｆＯｕｔＯｃｔｅｔｓカウンタ及び／又はｄｏｔ１１ＡｓｓｏｃｉａｔｅｄＳｔａｔｉｏｎＣｏｕｎｔカウンタなどを含むものであってもよい。
【００３８】
方法２００の２２８ａ〜ｃでは、エレメントマネージャ２０８は、各ＷＬＡＮ  ＡＰ２０４ａ〜ｃから受信したＰＭデータを記録する。エレメントマネージャ２０８は、１以上のＷＬＡＮ  ＡＰ２０４ａ〜ｃの何れか適切な数について処理２２０ａ〜ｃ、２２４ａ〜ｃ及び２２８ａ〜ｃを実行してもよい。
【００３９】
方法２００の２３２において、エレメントマネージャ２０８は、ＷＬＡＮ  ＡＰ２０４ａ〜ｃからポーリングされたＰＭデータをポーリングするためのリクエストをネットワークマネージャ２１２から受信する。エレメントマネージャ２０８は、方法２００の２３６において、２３２のリクエストに応答して、ＰＭデータと共にＰＭデータレポートをネットワークマネージャ２１２に送信する。エレメントマネージャ２０８は、ＷＬＡＮ  ＰＭ２０４ａ〜ｃから受信した第１フォーマットからネットワークマネージャ２１２に利用される第２フォーマットにＰＭデータを変換する。エレメントマネージャ２０８は、第２フォーマットによりＰＭデータをネットワークマネージャ２１２に送信する。エレメントマネージャ２０８は、ブロック２２８ａ〜ｃにおいてＰＭデータを記録する前又は後にＰＭデータを第１フォーマットから第２フォーマットに変換してもよい。
【００４０】
方法２００の２４０において、エレメントマネージャ２０８は、ＰＭデータをネットワークマネージャ２１２に報告することが必要であるか判断する（例えば、エレメントマネージャ２０８がネットワークマネージャ２１２からＰＭデータに対するリクエストを受信しなかった場合、又はＰＭデータレポートが方法２００のブロック２３６においてネットワークマネージャ２１２に送信された後に、更なるＰＭデータがエレメントマネージャ２０８により受信及び／又は記録されたか）。あるいは又は更に、ネットワークマネージャ２１２は、ある報告間隔によりＰＭデータを報告するようエレメントマネージャ２０８を設定してもよい。
【００４１】
２４０において、ＰＭデータをネットワークマネージャ２１２に報告する必要がないと判断された場合、エレメントマネージャ２０８は、方法２００のブロック２１６に戻って、経過時間タイマが再び満了するのを待機し、それからＰＭカウンタをポーリングするため、ＷＬＡＮ  ＡＰ２０４ａ〜ｃに更なるリクエストを送信してもよい。
【００４２】
２４０において、ＰＭデータがネットワークマネージャ２１２に報告される必要があると判断された場合、エレメントマネージャ２０８は、方法２００の２４４において、エレメントマネージャ２０８がネットワークマネージャ２１２による抽出のためＰＭデータを記録したとネットワークマネージャ２１２に通知するため、ＰＭデータ通知をネットワークマネージャ２１２に送信する。あるいは、エレメントマネージャ２０８は、（例えば、ＰＭデータ通知を送信することなく、又はネットワークマネージャ２１２からポーリングリクエストを受信することなく）ＰＭデータと共にＰＭデータレポートをネットワークマネージャ２１２に先を見越して送信してもよい。
【００４３】
それから、エレメントマネージャ２０８は、方法２００の２４８において、ＰＭデータに対するリクエストをネットワークマネージャ２１２から受信する。エレメントマネージャ２０８は、方法２００の２５２において、ＰＭデータと共にＰＭデータレポートをネットワークマネージャ２１２に送信する。２５２においてＰＭデータレポートを送信した後、エレメントマネージャ２０８は、方法２００のブロック２１６に戻る。
【００４４】
従って、方法２００は、ＷＬＡＮ  ＡＰ２０４ａ〜ｃからＰＭデータ（例えば、ＰＭカウンタの値）を抽出し、ＰＭデータをネットワークマネージャ２１２にわたすのに利用されてもよい。ネットワークマネージャ２１２は、方法２００の２３２においてＰＭデータをリクエストし、エレメントマネージャ２０８からＰＭデータをリクエストする。さらに又はあるいは、エレメントマネージャ２０８は、方法２００の２４０において、ＰＭデータが抽出のため利用可能であるとネットワークマネージャに通知してもよい。いくつかの実施例では、ネットワークマネージャ２１２は、２３２においてＰＭデータに対するリクエストを送信せず、２４４においてＰＭデータをリクエストする前に、２４０において、通知を代わりに待機してもよい。あるいは、エレメントマネージャ２０８は、ＰＭデータと共にＰＭデータレポートをネットワークマネージャ２１２に先を見越して送信してもよい（例えば、ＰＭデータ通知を送信しないか、又はネットワークマネージャ２１２からポーリングリクエストを受信することなく）。
【００４５】
図３は、各種実施例によるＷＬＡＮ  ＡＰ３０４（ＷＬＡＮ  ＡＰ１２０と同様であってもよい）からアラームの状態を抽出する方法３００を示す。方法３００は、ＷＬＡＮ  ＡＰ３０４及びネットワークマネージャ３１２（ネットワークマネージャ１０４と同様であってもよい）と連係してエレメントマネージャ３０８（エレメントマネージャ１０８と同様であってもよい）により実行されてもよい。いくつかの実施例では、エレメントマネージャ３０８は、実行時にエレメントマネージャ３０８に方法３００を実行させる命令を格納した１以上の有形なコンピュータ可読媒体を有してもよい。
【００４６】
方法３００の３１６において、エレメントマネージャ３０８は、ネットワークマネージャ３１２からアラーム状態属性に対するリクエストを受信する。アラーム状態属性に対するリクエストは、ＷＬＡＮ  ＡＰ３０４により管理されるアラームと関連付けされてもよい。
【００４７】
方法３００の３２０では、エレメントマネージャ３０８は、アラーム状態属性に対するリクエストをＷＬＡＮ  ＡＰ３０４により理解されるＷＬＡＮにより管理されるオブジェクトに対するリクエストに変換する。エレメントマネージャ３０８は、方法３００の３２４において、ＷＬＡＮにより管理されたオブジェクトに対するリクエストをＷＬＡＮ  ＡＰ３０４に送信する。ＷＬＡＮにより管理されるオブジェクトに対するリクエストは、例えば、ＷＬＡＮにより管理されるオブジェクトを抽出するため、ＳＮＭＰ  ＧＥＴメッセージを含むものであってもよい。
【００４８】
方法３００の３２８において、エレメントマネージャ３０８は、ＷＬＡＮ  ＡＰ３０４からＷＬＡＮにより管理されるオブジェクトを受信する。ＷＬＡＮにより管理されるオブジェクトは、例えば、ｉｆＯｐｅｒＳｔａｔｕｓなどのアラームの状態などを含むものであってもよい。
【００４９】
方法３００の３３２において、エレメントマネージャ３０８は、ＷＬＡＮにより管理されるオブジェクトを、ネットワークマネージャ３１２により理解されるアラーム状態属性にマッピングする。方法３００の３３６において、エレメントマネージャ３０８は、アラーム状態属性をネットワークマネージャ３１２に送信する。
【００５０】
ここに説明されたネットワークマネージャ１０４、エレメントマネージャ１０８、エレメントマネージャ１１０、ｅＮＢ１１２、ＵＥ１１６、ＷＬＡＮ  ＡＰ１２０及び／又はアクセスコントローラ１２４は、所望されるように構成される何れか適切なハードウェア及び／又はソフトウェアを利用したシステムに実現されてもよい。図４は、一実施例について、１以上のプロセッサ４０４、プロセッサ４０４の少なくとも１つと結合されたシステム制御ロジック４０８、システム制御ロジック４０８に結合されたシステムメモリ４１２、システム制御ロジック４０８に結合された不揮発性メモリ（ＮＶＭ）／ストレージ４１６、システム制御ロジック４０８に結合されるネットワークインタフェース４２０、及びシステム制御ロジック４０８に結合される入出力（Ｉ／Ｏ）デバイス４３２を有する一例となるシステム４００を示す。
【００５１】
プロセッサ４０４は、１以上のシングルコア又はマルチコアプロセッサを有する。プロセッサ４０４は、汎用プロセッサ及び専用プロセッサ（例えば、グラフィクスプロセッサ、アプリケーションプロセッサ、ベースバンドプロセッサなど）の何れかの組み合わせを有してもよい。
【００５２】
一実施例のシステム制御ロジック４０８は、プロセッサ４０４の少なくとも１つ及び／又はシステム制御ロジック４０８と通信する何れか適切なデバイス又はコンポーネントとの何れか適切なインタフェースを提供するための何れか適切なインタフェースコントローラを有してもよい。
【００５３】
一実施例のシステム制御ロジック４０８は、システムメモリ４１２とのインタフェースを提供するための１以上のメモリコントローラを有する。システムメモリ４１２は、通信ロジック４２４など、データ及び／又は命令をロード及び記憶するのに利用されてもよい。一実施例のシステムメモリ４１２は、例えば、適切なＤＲＡＭ（Ｄｙｎａｍｉｃ  Ｒａｎｄｏｍ  Ａｃｃｅｓｓ  Ｍｅｍｏｒｙ）などの何れか適切な揮発性メモリを有する。
【００５４】
ＮＶＭ／ストレージ４１６は、通信ロジック４２４など、データ及び／又は命令を記憶するのに利用される１以上の有形の非一時的なコンピュータ可読媒体を有する。ＮＶＭ／ストレージ４１６は、例えば、フラッシュメモリなどの何れか適切な不揮発性メモリを有してもよく、及び／又は、例えば、１以上のハードディスクドライブ（ＨＤＤ）、１以上のコンパクトディスク（ＣＤ）ドライブ及び／又は１以上のＤＶＤ（Ｄｉｇｉｔａｌ  Ｖｅｒｓａｔｉｌｅ  Ｄｉｓｋ）ドライブなどの何れか適切な不揮発性記憶装置を有してもよい。
【００５５】
ＮＶＭ／ストレージ４１６は、必ずしもデバイスの一部であるとは限らず、システム４００がインストールされる又はアクセス可能なデバイスの記憶リソースの物理的部分を含む。例えば、ＮＶＭ／ストレージ４１６は、ネットワークインタフェース４２０を介し及び／又は入出力（Ｉ／Ｏ）デバイス４３２を介しネットワークにアクセスされてもよい。
【００５６】
通信ロジック４２４は、１以上のプロセッサ４０４による実行時、上記の実施例に関して説明されたような通信装置ＩＲＰマネージャ１２８、ＩＲＰエージェント１３２、マッピング回路１３６及び／又は方法２００若しくは３００のコンポーネントに関連する処理をシステム４００に実行させる命令を有してもよい。各種実施例では、通信ロジック４２４は、システム４００に明示的に図示されてもよいし、図示されなくてもよいハードウェア、ソフトウェア及び／又はファームウェアコンポーネントを有してもよい。
【００５７】
ネットワークインタフェース４２０は、１以上のネットワーク及び／又は何れか他の適切な装置とシステム４００が通信するための無線インタフェースを提供するための送受信機４２２を有する。各種実施例では、送受信機４２２は、システム４００の他のコンポーネントと一体化されてもよい。例えば、送受信機４２２は、プロセッサ４０４のプロセッサ、システムメモリ４１２のメモリ及びＮＶＭ／ストレージ４１６のＮＶＭ／ストレージを有してもよい。ネットワークインタフェース４２０は、何れか適切なハードウェア及び／又はファームウェアを有してもよい。ネットワークインタフェース４２０は、ＭＩＭＯ無線インタフェースを提供するための複数のアンテナを有してもよい。一実施例のネットワークインタフェース４２０は、例えば、有線ネットワークアダプタ、無線ネットワークアダプタ、電話モデム及び／又は無線モデムなどを有してもよい。
【００５８】
一実施例では、プロセッサ４０４の少なくとも１つは、システム制御ロジック４０８の１以上のコントローラのロジックと一緒にパッケージングされてもよい。一実施例では、プロセッサ４０４の少なくとも１つは、システム・イン・パッケージ（ＳｉＰ）を形成するためのシステム制御ロジック４０８の１以上のコントローラのためのロジックと一緒にパッケージングされてもよい。一実施例について、プロセッサ４０４の少なくとも１つは、システム制御ロジック４０８の１以上のコントローラのロジックと同じダイ上に一体化されてもよい。一実施例では、プロセッサ４０４の少なくとも１つは、システム・オン・チップ（ＳｏＣ）を構成するためシステム制御ロジック４０８の１以上のコントローラのロジックと同一のダイ上に一体化されてもよい。
【００５９】
各種実施例では、Ｉ／Ｏ装置４３２は、システム４００とのユーザインタラクションを可能にするよう設計されるユーザインタフェース、システム４００との周辺コンポーネントインタラクションを可能にするよう設計される周辺コンポーネントインタフェース及び／又はシステム４００に関連する環境状態及び／又は位置情報を決定するよう設計されるセンサを有してもよい。
【００６０】
各種実施例では、ユーザインタフェースは、限定することなく、ディスプレイ（例えば、液晶ディスプレイ、タッチスクリーンディスプレイなど）、スピーカ、マイクロフォン、１以上のカメラ（例えば、スチルカメラ及び／又はビデオカメラ）、フラッシュライト（例えば、発光ダイオードフラッシュ）及びキーボードを含むことができる。
【００６１】
各種実施例では、周辺コンポーネントインタフェースは、限定することなく、不揮発性メモリポート、ＵＳＢ（Ｕｎｉｖｅｒｓａｌ  Ｓｅｒｉａｌ  Ｂｕｓ）ポート、オーディオジャック、イーサネット（登録商標）接続及び電源インタフェースを含むものであってもよい。
【００６２】
各種実施例では、センサは、限定することなく、ジャイロセンサ、加速度計、近接センサ、周辺光センサ及び測位ユニットを含むものであってもよい。測位ユニットはまた、ＧＰＳ（Ｇｌｏｂａｌ  Ｐｏｓｉｔｉｏｎｉｎｇ  Ｓｙｓｔｅｍ）衛星などの測位ネットワークのコンポーネントと通信するためのネットワークインタフェース４２０の一部であってもよいし、又はやりとりしてもよい。
【００６３】
各種実施例では、システム４００は、限定することなく、ラップトップ計算装置、タブレット計算装置、ネットブック、スマートフォンなどのモバイル計算装置であってもよい。各種実施例では、システム４００は、より多く又はより少ないコンポーネント及び／又は異なるアーキテクチャを有してもよい。
【００６４】
いくつかの非限定的な具体例が以下に提供される。
【００６５】
具体例１は、無線ローカルエリアネットワーク（ＷＬＡＮ）アクセスポイント（ＡＰ）からデータを受信するエレメントマネージャと、ＷＬＡＮ  ＡＰにより生成された第１フォーマットからＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャにより利用される第２フォーマットにデータを変換するマッピング回路とを有する装置であって、エレメントマネージャは、第２フォーマットによりデータをネットワークマネージャに送信する装置である。
【００６６】
具体例２は、具体例１の装置であって、ネットワークマネージャは、ＬＴＥ−Ａネットワークの１以上のｅｖｏｌｖｅｄ  Ｎｏｄｅ  Ｂ（ｅＮＢ）と他のエレメントマネージャを介し通信し、１以上のｅＮＢによる通信を管理する装置である。
【００６７】
具体例３は、具体例１の装置であって、エレメントマネージャはＷＬＡＮ  ＡＰにリクエストを送信し、データはリクエストに応答して受信される装置である。
【００６８】
具体例４は、具体例３の装置であって、ＷＬＡＮ  ＡＰは第１のＷＬＡＮ  ＡＰであり、エレメントマネージャは更に、第１のＷＬＡＮ  ＡＰを含む複数のＷＬＡＮ  ＡＰにリクエストを送信し、リクエストに応答して複数のＷＬＡＮ  ＡＰからデータを受信し、ネットワークマネージャからリクエストを受信し、ネットワークマネージャからのリクエストに応答して、データを複数のＷＬＡＮ  ＡＰからネットワークマネージャに送信する装置である。
【００６９】
具体例５は、具体例１の装置であって、データはカウンタの値を有し、エレメントマネージャは、データに対するリクエストをＷＬＡＮ  ＡＰに定期的に送信し、連続するリクエストの間の期間は、カウンタのサイズに基づき決定される装置である。
【００７０】
具体例６は、具体例１〜５の何れか１つの装置であって、データは、ＷＬＡＮインタフェースを介しＷＬＡＮ  ＡＰにより送信されたデータ量又は受信されたデータ量を示すカウンタの値を有する装置である。
【００７１】
具体例７は、具体例１〜５の何れか１つの装置であって、データは、ＷＬＡＮ  ＡＰに関連するユーザ装置（ＵＥ）の数を示すカウンタの値を有する装置である。
【００７２】
具体例８は、具体例１〜５の何れか１つの装置であって、データは、ＷＬＡＮ  ＡＰにより管理されるアラームの状態を有し、エレメントマネージャは、アラームの状態を照会するためＩＲＰマネージャから第１リクエストを受信し、マッピング回路は、第１リクエストをＷＬＡＮ  ＡＰにより利用される第２リクエストに変換し、エレメントマネージャは、アラームの状態を抽出するため、第２リクエストをＷＬＡＮ  ＡＰに送信する装置である。
【００７３】
具体例９は、具体例８の装置であって、第２リクエストは、Ｓｉｍｐｌｅ  Ｎｅｔｗｏｒｋ  Ｍａｎａｇｅｍｅｎｔ  Ｐｒｏｔｏｃｏｌ（ＳＮＭＰ）  ＧＥＴメッセージである装置である。
【００７４】
具体例１０は、エレメントマネージャにより実行される方法であって、カウンタの値に対するリクエストを無線ローカルエリアネットワーク（ＷＬＡＮ）アクセスポイント（ＡＰ）に定期的に送信するステップと、リクエストに応答して、ＷＬＡＮ  ＡＰからカウンタの値を有する第１メッセージを受信するステップと、ＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャにカウンタの値を有する第２メッセージを送信するステップと、カウンタのサイズ及びカウンタの受信した値に基づき、ＷＬＡＮ  ＡＰに連続するリクエストを送信する間の期間を決定するステップとを有する方法である。
【００７５】
具体例１１は、具体例１０の方法であって、第１メッセージは第１フォーマットを有し、第２メッセージは第１フォーマットと異なる第２フォーマットを有し、当該方法は更に、第１メッセージを第２メッセージに変換するステップを有する方法である。
【００７６】
具体例１２は、具体例１０の方法であって、ＷＬＡＮ  ＡＰは第１のＷＬＡＮ  ＡＰであり、当該方法は更に、第１のＷＬＡＮ  ＡＰを有する複数のＷＬＡＮ  ＡＰにリクエストを送信するステップと、リクエストに応答して、複数のＷＬＡＮ  ＡＰから各自のカウンタの値を受信するステップと、各自のカウンタの値をネットワークマネージャに送信するステップとを有する方法である。
【００７７】
具体例１３は、具体例１０の方法であって、カウンタの値に対するリクエストをネットワークマネージャから受信するステップを更に有する方法である。
【００７８】
具体例１４は、具体例１０〜１３の何れか１つの方法であり、カウンタの値は、ＷＬＡＮインタフェースを介しＷＬＡＮ  ＡＰにより送信されたデータ量又は受信されたデータ量を示す方法である。
【００７９】
具体例１５は、具体例１０〜１３の何れか１つの方法であり、カウンタの値は、ＷＬＡＮ  ＡＰに関連するユーザ装置（ＵＥ）の数を示す方法である。
【００８０】
具体例１６は、具体例１０の方法であって、第１メッセージは、アクセスコントローラを介しＷＬＡＮ  ＡＰから受信される方法である。
【００８１】
具体例１７は、実行時にエレメントマネージャに、ＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャからの第１のデータリクエストを処理するステップと、第１のデータリクエストと異なるフォーマットを有する第２のデータリクエストを無線ローカルエリアネットワーク（ＷＬＡＮ）アクセスポイント（ＡＰ）に送信するステップと、第２のデータリクエストに応答して受信されたＷＬＡＮ  ＡＰからのデータを処理するステップと、データをネットワークマネージャに送信するステップとを実行させるための命令を有する１以上の非一時的なコンピュータ可読媒体である。
【００８２】
具体例１８は、具体例１７の１以上の媒体であって、第２のデータリクエストは、第１のデータリクエストの受信に応答して送信される媒体である。
【００８３】
具体例１９は、具体例１７の１以上の媒体であって、データは、ＷＬＡＮ  ＡＰにより管理されたアラームの状態を有する媒体である。
【００８４】
具体例２０は、具体例１７の１以上の媒体であって、データは、ＷＬＡＮインタフェースを介しＷＬＡＮ  ＡＰにより送信されたデータ量又は受信されたデータ量を示すカウンタの値を有する媒体である。
【００８５】
具体例２１は、具体例１７の１以上の媒体であって、データは、ＷＬＡＮ  ＡＰに関連するユーザ装置（ＵＥ）の数を示すカウンタの値を有する媒体である。
【００８６】
具体例２２は、具体例１７〜２１の何れか１つの１以上の媒体であって、データは、アクセスコントローラを介しＷＬＡＮ  ＡＰから受信される媒体である。
【００８７】
具体例２３は、エレメントマネージャにより利用される装置であって、ＬＴＥ−Ａ（Ｌｏｎｇ  Ｔｅｒｍ  Ｅｖｏｌｕｔｉｏｎ  Ａｄｖａｎｃｅｄ）ネットワークを管理するネットワークマネージャから第１のデータリクエストを処理する手段と、第１のデータリクエストと異なるフォーマットを有する第２のデータリクエストを無線ローカルエリアネットワーク（ＷＬＡＮ）アクセスポイント（ＡＰ）に送信する手段と、第２のデータリクエストに応答して受信されたＷＬＡＮ  ＡＰからのデータを処理する手段と、データをネットワークマネージャに送信する手段とを有する装置である。
【００８８】
具体例２４は、具体例２３の装置であって、第２のデータリクエストは、第１のデータリクエストの受信に応答して送信される装置である。
【００８９】
具体例２５は、具体例２３の装置であって、データは、ＷＬＡＮ  ＡＰにより管理されたアラームの状態を有する装置である。
【００９０】
具体例２６は、具体例２３の装置であって、データは、ＷＬＡＮインタフェースを介しＷＬＡＮ  ＡＰにより送信されたデータ量又は受信されたデータ量を示すカウンタの値を有する装置である。
【００９１】
具体例２７は、具体例２３の装置であって、データは、ＷＬＡＮ  ＡＰに関連するユーザ装置（ＵＥ）の数を示すカウンタの値を有する装置である。
【００９２】
具体例２８は、具体例２３〜２７の何れか１つの装置であって、データは、アクセスコントローラを介しＷＬＡＮ  ＡＰから受信される装置である。
【００９３】
説明のためにここでは特定の実施例が図示及び説明されたが、同一の目的を実現するため計算される広範な他の及び／又は等価な実施例又は実現形態が、本開示の範囲から逸脱することなく図示及び説明される実施例と置換されてもよい。本出願は、ここに説明された実施例の何れかの適応化又は変形をカバーすることが意図される。従って、ここに説明される実施例は請求項及びその均等のみによって限定されることが明らかに意図される。
【図１】
0006293872.tif 000002
【図２】
0006293872.tif 000003
【図３】
0006293872.tif 000004
【図４】
0006293872.tif 000005